(57)【要約】【課題】運搬しやすい包丁ケース及び包丁の通い箱を提供すること。【解決手段】包丁ケース１は、蓋部を有する基板部材１０と、基板部材１０上に設けられ、包丁１００を収納させる収納部２３を有する収納板部材２０と、を備え、蓋部は、基板部材１０を畳むことで、収納部２３を被覆可能に形成され、収納部２３は、包丁１００の刃先１１０ａ側を被覆する刃先被覆部２５を有する。【選択図】図３
0003224910.tif 000002
【実用新案登録請求の範囲】
【請求項１】
蓋部を有する基板部材と、
前記基板部材上に設けられ、包丁を収納させる収納部を有する収納板部材と、
を備え、
前記蓋部は、前記基板部材を畳むことで、前記収納部を被覆可能に形成され、
前記収納部は、前記包丁の刃先側を被覆する刃先被覆部を有することを特徴とする包丁ケース。
【請求項２】
前記収納板部材は、ライナー面を有するダンボールにより形成され、
前記基板部材は、前記収納板部材との接続部側に被覆部を有し、
前記被覆部は、折り畳むことで前記ライナー面を被覆可能に形成されることを特徴とする請求項１に記載の包丁ケース。
【請求項３】
前記収納板部材は、直方体状であり、
短辺にフルート面を有し、
長辺に前記ライナー面を有することを特徴とする請求項２に記載の包丁ケース。
【請求項４】
前記蓋部は、
前記収納板部材の一方側から折り畳んで前記収納部を覆う前記被覆部と、
前記収納板部材の他方側から折り畳んで前記被覆部に折り重なる重畳部とを含み、
前記基板部材は、前記被覆部及び前記重畳部の重なった対向面に、一対の面ファスナーが設けられることを特徴とする請求項２又は請求項３に記載の包丁ケース。
【請求項５】
前記基板部材上に設けられ、前記被覆部が前記収納板部材を被覆すると、前記収納板部材と重なり合う上板部材を備え、
前記上板部材は、紙葉収納部を有し、
前記紙葉収納部は、
前記上板部材の上面から凹状に形成され、
前記紙葉収納部の中心方向に向かって突出する保持部が設けられることを特徴とする請求項４に記載の包丁ケース。
【請求項６】
前記基板部材及び前記上板部材は、ダンボールであることを特徴とする請求項５に記載の包丁ケース。
【請求項７】
前記収納板部材は、前記基板部材上に設けられる第１部材、前記第１部材上に設けられる第２部材及び前記第２部材上に設けられる第３部材から形成され、
前記収納部は、前記包丁の刀身を収納する刀身収納部が設けられ、
前記刀身収納部は、前記第１部材、前記第２部材及び前記第３部材のうち少なくとも一つに設けられ、
前記刃先被覆部は、前記第１部材、前記第２部材及び前記第３部材のうち少なくとも一つに設けられることを特徴とする請求項１乃至請求項６の何れかに記載の包丁ケース。
【請求項８】
前記収納部は、
前記包丁の収納出入口である開口部と、
前記包丁の柄を収納する柄収納部と、
を有し、
前記開口部は、前記第３部材に設けられ、
前記柄収納部は、前記第１部材から前記第３部材に亘って設けられ、
前記刀身収納部は、前記第２部材に設けられ、
前記刃先被覆部は、前記第３部材に設けられることを特徴とする請求項７に記載の包丁ケース。
【請求項９】
前記収納部は、押さえ片が設けられ、
前記押さえ片は、
前記第３部材に形成され、
前記収納部の内側に向かって突出し、
前記包丁の一部を被覆することを特徴とする請求項７又は請求項８に記載の包丁ケース。
【請求項１０】
蓋部を有する基板部材と、
前記基板部材上に設けられ、包丁を収納させる収納部を有する収納板部材と、
前記基板部材上に設けられ、紙葉を収納させる紙葉収納部を有する上板部材とを備え、
前記基板部材、前記収納板部材及び前記上板部材は、紙材のダンボールにより形成され、
前記蓋部は、前記基板部材を畳むことで、前記収納部を被覆可能に形成され、
前記収納部は、前記包丁の刃先側を被覆する刃先被覆部を有し、
前記紙葉収納部は、
前記上板部材の上面から前記基板部材に亘る深さで凹溝状に形成され、
前記紙葉収納部の中心側に向かって突出する保持部が設けられることを特徴とする包丁の通い箱。
【考案の詳細な説明】
【技術分野】
【０００１】
本考案は包丁ケース及び包丁の通い箱に関する。
【背景技術】
【０００２】
従来から、包丁を携帯するための包丁ケースが開示されている。特許文献１の包丁ケースでは、ケース本体と、包丁の刀身を挿入するスリット状の挿入穴とを備え、該挿入穴に挿入された包丁の刀身の柄に隣接する部分を固定手段により留めつけて、刀身をケース本体と固定している。
【先行技術文献】
【特許文献】
【０００３】
【特許文献１】実用新案登録第３１９８３５９号
【考案の概要】
【考案が解決しようとする課題】
【０００４】
しかし、特許文献１の包丁ケースは、包丁の柄が露出しているため、包丁全体の保護が十分ではなく、運搬が難しいことがあった。
【０００５】
本考案は、以上の点に鑑み、運搬しやすい包丁ケース及び包丁の通い箱を提供することを目的とする。
【課題を解決するための手段】
【０００６】
本考案に係る包丁ケースは、蓋部を有する基板部材と、前記基板部材上に設けられ、包丁を収納させる収納部を有する収納板部材と、を備え、前記蓋部は、前記基板部材を畳むことで、前記収納部を被覆可能に形成され、前記収納部は、前記包丁の刃先側を被覆する刃先被覆部を有することを特徴とする。
【０００７】
本考案に係る包丁の通い箱は、蓋部を有する基板部材と、前記基板部材上に設けられ、包丁を収納させる収納部を有する収納板部材と、前記基板部材上に設けられ、紙葉を収納させる紙葉収納部を有する上板部材とを備え、前記基板部材、前記収納板部材及び前記上板部材は、紙材のダンボールにより形成され、前記蓋部は、前記基板部材を畳むことで、前記収納部を被覆可能に形成され、前記収納部は、前記包丁の刃先側を被覆する刃先被覆部を有し、前記紙葉収納部は、前記上板部材の上面から前記基板部材に亘る深さで凹溝状に形成され、前記紙葉収納部の中心側に向かって突出する保持部が設けられることを特徴とする。
【考案の効果】
【０００８】
本考案によれば、運搬しやすい包丁ケース及び包丁の通い箱を提供することができる。
【図面の簡単な説明】
【０００９】
【図１】本考案の実施形態に係る包丁ケースを折り畳んだ状態の斜視図である。
【図２】本考案の実施形態に係る包丁ケースの一部を展開した状態の斜視図である。
【図３】本考案の実施形態に係る包丁ケースを展開した状態を示す平面図である。
【図４】本考案の実施形態に係る図３に示す包丁ケースのＩＶ−ＩＶ端面図である。
【図５】本考案の実施形態に係る図３に示す包丁ケースのＶ−Ｖ端面図である。
【図６】本考案の実施形態に係る図３に示す包丁ケースのＶＩ−ＶＩ端面図である。
【図７】本考案の実施形態に係る図３に示す包丁ケースのＶＩＩ−ＶＩＩ端面図である。
【図８】本考案の実施形態に係る包丁ケースを示す端面図であり、（ａ）は、図３に示す包丁ケースに包丁を収納し、包丁ケースを折り畳んだ場合のＩＶ−ＩＶ端面に相当し、（ｂ）は、図２に示す包丁ケースに包丁を収納し、包丁ケースを折り畳んだ場合のＶＩＩ−ＶＩＩ端面に相当する。
【図９】本考案の実施形態に係る包丁ケースの写真図である。
【考案を実施するための形態】
【００１０】
本考案の実施形態を説明する。図１及び図２に示す折り畳んだ状態（図２は一部を展開した状態）の包丁ケース１は、全体が直方体状に形成され、基板部材１０、収納板部材２０及び上板部材３０を備える。本実施形態の基板部材１０、収納板部材２０及び上板部材３０は、紙材のダンボールを組み合わせて形成される。
【００１１】
ここで、ダンボールの構成について説明する。ダンボールは、空洞（中空構造）を有する平板状の部材である。なお、ダンボールは、紙材の他、プラステック材（例えば、ポリプロピレン）等により、作成してもよい。ダンボールは、外側面を形成する平坦なシート状部材であるライナー部材及びダンボールの空洞を形成する波板状部材であるフルート部材（中芯部材）を有する。フルート部材は、波板状部材に限定されず、後述するライナー部材に対して垂直に起立する複数のリブ部材であってもよい。ダンボールは、フルート部材の段頂と、ライナー部材のシート面とが接着等で貼り合わせて構成される。
【００１２】
ダンボールの上面又は下面のうち少なくとも１つには、フルート部材に貼り合わされたライナー部材により平坦面が形成される。従って、ダンボールは、フルート部材の両面からライナー部材を貼り合わせて、空洞を形成した両面ダンボールとしてもよいし、フルート部材の片面からライナー部材を貼り合わせて空洞を形成した片面ダンボールとしてもよい。
【００１３】
なお、ダンボールの構成として両面ダンボールと片面ダンボールとを面同士で貼り合わせた複両面ダンボールや、複両面ダンボールと片面ダンボールとを面同士で貼り合わせた複々両面ダンボールを用いてもよい。本実施形態では、詳細は後述するが、基板部材１０は両面ダンボールが用いられ、収納板部材２０及び上板部材３０は複両面ダンボールが用いられる。このように、タンボールは、空洞を有することにより、軽さ及び強度の高さ（衝撃吸収性）を実現することができる。タンボールの切断された側面には、フルート部材により形成される空洞の横断面が現れるフルート面及び該空洞の延在する方向である縦断面が現れるライナー面のうち何れか１つが形成される。
【００１４】
図３は、包丁ケース１を展開した状態を示す平面図である。基板部材１０は、平板状に形成され、収納板部材２０との接続部１８（図１のＡ部拡大図も参照）側の被覆部１１及び被覆部１１の一端側から被覆部１１と同幅で延長するように設けられた重畳部１２を有する。被覆部１１は、図３の平面視において、収納板部材２０よりも左右方向に広幅に形成される。
【００１５】
被覆部１１は、収納板部材２０の外周を被覆する（図１参照）。被覆部１１は、図３の平面視側から見て、基板部材１０を谷折り部１１１乃至谷折り部１１３により、折り曲げ可能な４つの長方形の面として形成される。換言すれば、被覆部１１は、上板部材３０と接続されて収納板部材２０の上面側を覆う被覆部１１ａ、収納板部材２０の左側面側を覆う被覆部１１ｂ、収納板部材２０と接続されて収納板部材２０の底面側（接続部１８側）を覆う被覆部１１ｃ及び収納板部材２０の右側面側を覆う被覆部１１ｄから構成される。被覆部１１ａ、被覆部１１ｂ、被覆部１１ｃ及び被覆部１１ｄは、各谷折り部１１１乃至谷折り部１１３により折り曲げることにより、収納板部材２０及び上板部材３０を環状に被覆することができる（図１及び図８等参照）。そして、図１及び図８等に示すように、包丁ケース１を折り畳んだ状態において、被覆部１１ａ及び被覆部１１ｄは、互いに接するように位置する。
【００１６】
重畳部１２は、基板部材１０を谷折り部１２１,谷折り部１２２により折り曲げ可能な２つの長方形の面として形成される。換言すれば、重畳部１２は、重畳部１２ａ及び重畳部１２ｂから構成される。重畳部１２ａは、被覆部１１ｄと重畳部１２ｂとの間に形成され、被覆部１１ｄ及び重畳部１２ｂと隣接する。また、包丁ケース１を折り畳んだ状態においては、図１に示すように、重畳部１２ａ及び重畳部１２ｂは、谷折り部１２２により折り曲げることで、互いに重なり合う。重なり合った重畳部１２ａ及び重畳部１２ｂは、谷折り部１２１により折り曲げることで、重畳部１２ｂが収納板部材２０の上面を覆う被覆部１１ａと接するように重なり合う。従って、被覆部１１ａ（後述の上板部材３０も含む）、重畳部１２ａ及び重畳部１２ｂは、収納板部材２０に設けられた収納部２３を被覆可能な蓋部として機能する。被覆部１１ａ及び上板部材３０を含む一方側の蓋部と、重畳部１２ａ及び重畳部１２ｂを含む他方側の蓋部は、それぞれ収納板部材２０の左側面側及び右側面側から開閉させることができる。換言すれば、上板部材３０と接続する被覆部１１ａは、収納板部材２０の左側面側から折り畳んで、後述する収納部２３を覆う。折り重なる重畳部１２ａ及び重畳部１２ｂは、収納板部材２０の右側側面から折り畳んで、被覆部１１ａを覆う。
【００１７】
なお、図２に示すように、被覆部１１ａ及び上板部材３０を含む一方側の蓋部と、重畳部１２ａ及び重畳部１２ｂを含む他方側の蓋部には、それぞれ一対の一組で面ファスナーを構成するフック部１３ａ及びループ部１３ｂが設けられる。フック部１３ａは、上板部材３０に設けられており、フック部１３ａより大きく開口した窓部１７を介して、被覆部１１ａの外面において露出している。フック部１３ａ及びループ部１３ｂは、ともに平面視矩形状である。フック部１３ａは、被覆部１１ａの長尺方向略中央であって、被覆部１１ａの短尺方向における被覆部１１ｂ側の長辺寄りに設けられる。また、ループ部１３ｂは、重畳部１２ａの長尺方向略中央であって、重畳部１２ａの短尺方向における重畳部１２ｂ側の長辺寄りに設けられる。
【００１８】
重畳部１２ｂには、板厚方向に貫通した窓部１４が設けられる。窓部１４は、重畳部１２ｂの一部を平面視矩形に切り抜いて形成される。窓部１４は、重畳部１２ｂの長尺方向略中央であって、重畳部１２ｂの短尺方向における重畳部１２ａ側の長辺寄りに設けられる。窓部１４は、ループ部１３ｂ以上の大きさで設けられる。窓部１４は、重畳部１２ａ及び重畳部１２ｂを折り曲げて重ね合わせた際に、ループ部１３ｂと重なり合うように配置される。
【００１９】
これにより、窓部１４は、重畳部１２ａに設けられたループ部１３ｂを、重ね合わせた重畳部１２ｂの外面側から露出させ、重畳部１２ａを収納板部材２０の上面側に位置するように谷折り部１２１により折り畳むと、先に収納板部材２０の上面側に折り畳んでおいた被覆部１１ａ側に設けられたフック部１３ａに面接触させることができる。従って、フック部１３ａ及びループ部１３ｂは、被覆部１１ａ及び重畳部１２ａを着脱自在に固定することができる。
【００２０】
重畳部１２ａ及び重畳部１２ｂを被覆部１１ａに重ね合わせると、重畳部１２ａと重畳部１２ｂとの間の谷折り部１２２に対応する反対面側の山折り部１２２ａ（図１のＡ部拡大図参照）と被覆部１１ａと被覆部１１ｂとの間の谷折り部１１３に対応する反対面側の山折り部１１３ａ（図１のＡ部拡大図参照）との間に、略Ｖ字溝状の間隙１５が形成される。間隙１５は、僅かな幅及び深さにより形成され、フック部１３ａ及びループ部１３ｂの接着力に抗して、被覆部１１ａから重畳部１２ａ及び重畳部１２ｂを引き剥がす際に指を掛け入れやすくすることができる。
【００２１】
図２に示すように、重畳部１２ｂには、切欠部１６が設けられる。切欠部１６は、重畳部１２ａと連接していない重畳部１２ｂの自由端側長辺の両端部に設けられる。切欠部１６は、重畳部１２ｂの隣接する端縁が接続される角部を、Ｃ面取状に切欠いて設けられる。
【００２２】
図３及び図４等に示すように、収納板部材２０は、基板部材１０上に設けられる。収納板部材２０は、平面視長方形状であり、全体として直方体状に形成された略板状の部材である。また、収納板部材２０は、第１部材２０Ａ、第２部材２０Ｂ及び第３部材２０Ｃの３つの板状の複両面ダンボール部材を貼り合わせて形成される（図１のＡ部拡大図及び図２のＢ部拡大図参照）。第１部材２０Ａは、基板部材１０の被覆部１１ｃ上に設けられる。第２部材２０Ｂは、第１部材２０Ａ上に設けられる。第３部材２０Ｃは、第２部材２０Ｂ上に設けられる。第１部材２０Ａは、片面ダンボール及び両面ダンボールの一方である薄肉層２０Ａ−１及び厚肉層２０Ａ−２により形成される。第１部材２０Ａと同様に、第２部材２０Ｂは、薄肉層２０Ｂ−１及び厚肉層２０Ｂ−２より形成され、第３部材２０Ｃは、薄肉層２０Ｃ−１及び厚肉層２０Ｃ−２より形成される。
【００２３】
また、第１部材２０Ａ、第２部材２０Ｂ及び第３部材２０Ｃは、それぞれ略同一外形形状である。第１部材２０Ａ、第２部材２０Ｂ及び第３部材２０Ｃは、平面視長方形の平板状の部材である（図２参照）。
【００２４】
図１のＡ部拡大図及び図２にＢ部拡大図に示すように、収納板部材２０は、第１部材２０Ａ、第２部材２０Ｂ及び第３部材２０Ｃの各フルート部材（中芯部材）の断面が波型形状に露出するフルート面２１を有する。第１部材２０Ａ、第２部材２０Ｂ及び第３部材２０Ｃの各フルート面２１は同一方向側に揃えて配置される。
【００２５】
第１部材２０Ａ、第２部材２０Ｂ及び第３部材２０Ｃは、薄肉層２０Ａ−１, 薄肉層２０Ｂ−１, 薄肉層２０Ｃ−１及び厚肉層２０Ａ−２, 厚肉層２０Ｂ−２, 厚肉層２０Ｃ−２により形成されるため、第１部材２０Ａ、第２部材２０Ｂ及び第３部材２０Ｃの各々には、２つの幅の異なるフルート面２１が形成される。フルート面２１は、第１部材２０Ａ、第２部材２０Ｂ及び第３部材２０Ｃの短辺側の両側面に形成される（図３も参照）。
【００２６】
図２のＢ部拡大図に示すように、収納板部材２０は、第１部材２０Ａ、第２部材２０Ｂ及び第３部材２０Ｃの各フルート部材（中芯部材）の断面が直線状に露出するライナー面２２を有する。第１部材２０Ａ、第２部材２０Ｂ及び第３部材２０Ｃの各ライナー面２２は、同一方向に揃えて配置される。ライナー面２２は、第１部材２０Ａ、第２部材２０Ｂ及び第３部材２０Ｃの長辺側の両側面に形成される（図３も参照）。
【００２７】
次に、主に図３乃至図７を参照して、収納板部材２０内側の構成について説明する。なお、図４乃至図７では、第１部材２０Ａ、第２部材２０Ｂ及び第３部材２０Ｃを貼り合わせた境界位置及び第３部材２０Ｃの上面位置における等高線を１点鎖線で示している。
【００２８】
図３に示すように、収納板部材２０は、収納部２３を有する。収納部２３は、収納板部材２０の短辺方向（図３の左右方向）略中央であって、長辺方向（図３の上下方向）内側部分に形成される。また、収納部２３は、第１部材２０Ａ、第２部材２０Ｂ及び第３部材２０Ｃにそれぞれ設けた開口部２０Ａ１, 開口部２０Ｂ１, 開口部２０Ｃ１により形成される（図４乃至図７参照）。収納部２３は、第３部材２０Ｃの上面（第２部材２０Ｂと接していない面）から基板部材１０に向かって、凹状に窪むように形成される空間であり、包丁１００を収納することができる。なお、図２において、２点鎖線で示す包丁１００の外形形状は、一例であり、後述するように多様な形状、大きさの包丁１００を収納部２３に収納させることができる。
【００２９】
収納部２３は、平面視において包丁１００の外形に略倣うように、片面を開口させて、形成される。そして、開口部２０Ｃ１は、第３部材２０Ｃを切り抜いて形成される。第３部材２０Ｃの開口部２０Ｃ１は、包丁１００を収納部２３に収納する際又は取り出す際の収納出入口となる。
【００３０】
収納部２３には、刀身収納部２４が設けられる。刀身収納部２４には、第２部材２０Ｂを切り抜いて形成される空間である開口部２０Ｂ１（図７及び図８（ｂ）も参照）に包丁１００の刀身１１０を収納することができる。換言すれば、刀身収納部２４は、第２部材２０Ｂに設けられる。そして、刀身収納部２４は、第１部材２０Ａの上面に包丁１００の刀身１１０を略面接触させて、包丁１００を安置することができる。従って、刀身収納部２４は、第１部材２０Ａの上面を底部として第２部材２０Ｂから第３部材２０Ｃに亘る空間厚みとして設けられる。
【００３１】
なお、刀身収納部２４は、包丁ケース１に収納するものとして想定している包丁（例えば、家庭用、業務用、小型用、大型用等種別ごとに区切ってもよい）の一般的な刀身１１０のサイズより、やや大きめに設けられることで、多様な刀身１１０の形状を有する包丁１００（例えば、三徳包丁や出刃包丁等の和包丁、牛刀等の洋包丁又は中華包丁）を収納することができる。
【００３２】
収納部２３には、刃先被覆部２５が設けられる。刃先被覆部２５は、第３部材２０Ｃの開口部２０Ｃ１の内縁の一部により形成される。刃先被覆部２５は、刀身収納部２４の上方の一部を被覆するように設けられる。従って、刃先被覆部２５は、第３部材２０Ｃに設けられる。刃先被覆部２５は、刀身収納部２４に収納された包丁１００の刀身１１０の刃先１１０ａ側を被覆する（図８（ｂ）も参照）。包丁１００の刃先１１０ａ側が被覆されていることにより、使用者が不意に刃先１１０ａへ接触することを防止することができる。
【００３３】
収納部２３には、押さえ片２６が設けられる。押さえ片２６も、第３部材２０Ｃの開口部２０Ｃ１の内縁の一部により刃先被覆部２５と連接して設けられる。押さえ片２６は、収納部２３において、刃先被覆部２５よりも前方側（図３の下方側）の略中央に設けられる。押さえ片２６は、略矩形の片持ち舌片状に形成される（図５及び図６も参照）。
【００３４】
押さえ片２６は、収納部２３の内側に向かって突出する。そして、押さえ片２６は、収納部２３に収納された包丁１００の柄１２０、柄元１２０ａ及び刀身１１０等を被覆することができる。また、押さえ片２６の自由端は、開口部２０Ａ１の対向する内縁と離間しながら近接しており（図５及び図６も参照）、収納部２３の押さえ片２６が形成される箇所では、第３部材２０Ｃの短辺方向（図３の左右方向）と一致する開口部２０Ｃ１の幅が狭く形成される。押さえ片２６は、自由端から切込部２６ａの終端までの長さ分、片持ちのばね状に変形することができるため、包丁１００の収納及び取出操作を容易にしながら、包丁１００の脱落を防止することができる。
【００３５】
収納部２３の押さえ片２６よりも前方側（図３の下方側）には、柄収納部２７が設けられる。柄収納部２７は、第１部材２０Ａ、第２部材２０Ｂ及び第３部材２０Ｃの各開口部２０Ａ１, 開口部２０Ｂ１, 開口部２０Ｃ１により形成される。換言すれば、柄収納部２７は、第１部材２０Ａ、第２部材２０Ｂ及び第３部材２０Ｃに亘って設けられる。また、柄収納部２７における開口部２０Ａ１, 開口部２０Ｂ１, 開口部２０Ｃ１は、それぞれ略同一形状に切り抜かれて形成される。従って、柄収納部２７には、開口部２０Ａ１, 開口部２０Ｂ１, 開口部２０Ｃ１に形成された空間に、包丁１００の刀身１１０の板厚よりも幅の広い（外径が大きい）柄１２０を収納することができる。
【００３６】
収納部２３は、柄収納部２７の内壁の一部を拡幅させた取出し凹部２８を有する（図４も参照）。取出し凹部２８も、柄収納部２７同様に第１部材２０Ａ、第２部材２０Ｂ及び第３部材２０Ｃの各開口部２０Ａ１, 開口部２０Ｂ１, 開口部２０Ｃ１により形成される。取出し凹部２８は、収納板部材２０の長辺方向（図３の上下方向）に延在する柄収納部２７の２つの対向する内壁にそれぞれ設けられる。取出し凹部２８は、図３の平面視において、柄収納部２７よりも左右両側に窪んだ凹半円弧状に形成される。従って、各取出し凹部２８は、半円柱状の空間として形成される。
【００３７】
図３に示すように、上板部材３０は、基板部材１０の被覆部１１ａ上に設けられる。上板部材３０は、平面視長方形の板状の部材である。上板部材３０の長尺方向の幅は、基板部材１０の短尺方向の幅と略同じである。上板部材３０は、一枚のダンボール部材により形成される。上板部材３０は、第１部材２０Ａ、第２部材２０Ｂ及び第３部材２０Ｃと同様に、薄肉部３０−１及び厚肉部３０−２を含む両面ダンボールにより形成される（図１及び図２参照）。
【００３８】
上板部材３０は、フルート部材（中芯部材）の断面が波形形状に露出するフルート面３１を有する。上板部材３０のフルート面３１は、上板部材３０を収納板部材２０上に折り畳んで重ねた際に、第１部材２０Ａ、第２部材２０Ｂ及び第３部材２０Ｃの各フルート面２１と同一方向側に揃うように配置される。そして、上板部材３０は、薄肉部３０−１及び厚肉部３０−２により形成されるため、短幅のフルート面３１及び長幅のフルート面３１が形成される（図１のＡ部拡大図及び図２のＢ部拡大図参照）。上板部材３０のフルート面３１も、上板部材３０の短辺側の両側面に形成される（図３参照）。
【００３９】
また、図２のＢ部拡大図に示すように、上板部材３０は、上板部材３０のフルート部材（中芯部材）の断面が直線状に露出するライナー面３２を有する。上板部材３０のライナー面３２も、上板部材３０を収納板部材２０上に折り畳んで重ねた際に、第１部材２０Ａ、第２部材２０Ｂ及び第３部材２０Ｃの各ライナー面２２と同一方向側に揃うように配置される。ライナー面３２は、上板部材３０の長辺側の両側面に形成される（図３参照）。上板部材３０の各フルート面３１及びライナー面３２は、包丁ケース１を折り畳んだ状態では、収納板部材２０の各フルート面２１及びライナー面２２とそれぞれ重なり合い（図１及び図２参照）、ダンボールの断面により平坦状の側面が形成される。
【００４０】
図３に戻り、上板部材３０は、上板部材３０に設けられた貫通する開口部と基板部材１０の板面とにより形成された補助柄収納部３３を有する。補助柄収納部３３は、上板部材３０の上面（基板部材１０と接していない面）から基板部材１０の上面に亘る深さで、凹溝状に形成される。ここで、包丁１００の柄１２０は、前述の柄収納部２７に収納されるが、包丁１００の柄１２０の上部が第３部材２０Ｃの上面より突出する場合があり得る。この場合であっても、上板部材３０を収納板部材２０に重ね合わせることにより、柄収納部２７より突出した包丁１００の柄１２０の一部を補助柄収納部３３内に収納して、上板部材３０との干渉を低減することができる（図８（ａ）も参照）。
【００４１】
上板部材３０は、紙葉収納部３４を有する。紙葉収納部３４は、上板部材３０の上面（基板部材１０と接していない面）から基板部材１０の上面に亘る深さで、凹溝状に形成される。紙葉収納部３４は、上板部材３０に設けられた平面視略長方形の貫通する開口部と、基板部材１０の板面により形成される。紙葉収納部３４は、割引券や回数券等のサービス券４０（紙葉）を収納する。なお、図３において、サービス券４０は、２点鎖線で表している。紙葉収納部３４には、上板部材３０の開口部における内縁に凸半円弧状の保持部３４ａが設けられる。保持部３４ａは、紙葉収納部３４の両短辺内側に対向して、２つ形成される。従って、保持部３４ａは、紙葉収納部３４の中心側に向かって突出している。また、保持部３４ａは、基端側を軸に先端側を持ち上げて基板部材１０と間に僅かな空間を形成することができる。保持部３４ａは、該空間に紙葉収納部３４に収納されたサービス券４０の一部を挿入することで、サービス券４０を保持する（図８（ｂ）も参照）。
【００４２】
図９は、包丁ケース１の一例を示す写真図である。なお、本図の包丁ケース１の構成は、図１乃至図８に示した包丁ケース１の構成と同様であるため、同一の符号を付して、その詳細な説明は省略する。基板部材１０、収納板部材２０及び上板部材３０は何れも前述した紙材のダンボールにより形成される。従って、包丁ケース１は、軽量性、強度、緩衝性等を備えるように構成することができる。
【００４３】
次に、包丁ケース１の使用態様の一例について、説明する。まず、包丁ケース１の使用者は、図１に示す折り畳んだ状態の包丁ケース１の重畳部１２ａ及び重畳部１２ｂを被覆部１１ａから開き、図２に示す包丁ケース１の一部が展開された状態とする。次に、使用者は、重畳部１２ｂを開くとともに、被覆部１１ａ及び上板部材３０を開き、図３に示す包丁ケース１を展開した状態とする。その後、使用者は、押さえ片２６を開くなどして、包丁１００を開口部２０Ａ１から入れることにより、収納部２３に包丁１００を収納する。次に、使用者は、重畳部１２ｂを谷折り部１２２により閉じるとともに、被覆部１１ａ及び上板部材３０を閉じ、図２に示す包丁ケース１の一部が閉じられた状態とする。次に、使用者は、重畳部１２ａ及び重畳部１２ｂを谷折り部１２１により閉じ、包丁ケース１を図１に示す折り畳んだ状態とする。
【００４４】
包丁ケース１を折り畳んだ状態においては、収納板部材２０のライナー面２２及び上板部材３０のライナー面３２は被覆部１１ｂ及び被覆部１１ｄにより被覆される。そして、谷折り部１２２に対応する反対面の山折り部１２２ａ側においても、基板部材１０の切断面が露出しない（図１参照）。ライナー面２２、ライナー面３２及び基板部材１０の切断面は、直線状であるため、使用者の指等を切ってしまうおそれがある。しかしながら、包丁ケース１は、ライナー面２２、ライナー面３２及び基板部材１０の切断面が被覆されているため、使用者がダンボールの切断面に触れて指を切る等の怪我を防止できる。なお、収納板部材２０のフルート面２１及び上板部材３０のフルート面３１は露出しているが、フルート部材の断面は波形形状に露出しており、その露出面積は小さいため、使用者の指等を切りにくい。
【００４５】
使用者は、包丁１００を収納した包丁ケース１を折り畳んだ状態とすることで、包丁１００の全部分を被覆することができる。さらに、使用者は、包丁１００を包丁ケース１に収納したまま、携帯することもできる。また、使用者は、折り畳んだ状態の包丁ケース１に包丁１００を収納したまま、配送業者等による配送サービスを利用することで、遠隔地へ包丁１００を届けることができる。従って、包丁ケース１は、包丁１００を保管したり様々な用途の運搬に用いたりすることができる。包丁ケース１及び配送業者等による配送サービスを利用した態様としては、以下の一例が挙げられる。使用者は、切れ味の悪くなった包丁１００を包丁ケース１に収納し、配送サービスにより包丁研ぎ業者へ送付する。包丁研ぎ業者は、包丁ケース１から包丁１００を取り出し、包丁１００を研ぐ等の修繕を行う。次に、包丁研ぎ業者は、包丁ケース１に研ぎ終わった包丁１００を収納し、配送サービスにより、使用者に送付する。使用者は、包丁ケース１より研ぎ終わった包丁１００を取り出し、利用することができる。換言すれば、包丁ケース１は、通い箱としても利用可能である。なお、包丁ケース１を通い箱として利用する場合において、使用者は、配送サービスを用いず、包丁研ぎ業者の店舗や窓口（例えば、店舗のサービスカンウター）に直接持っていくこともできる。
【００４６】
本考案は、前述の実施形態に限定されない。まず、包丁ケース１は、基板部材１０と収納板部材２０とを備え、収納板部材２０を基板部材１０により被覆してもよい。また、収納板部材２０は、１枚以上の部材により形成することもできる。例えば、収納板部材２０を１枚の部材により形成する場合ならば、１枚の部材の内部を一部くり抜き、空間を設け、該空間に包丁１００を収納することができる。
【００４７】
なお、本実施形態同様に、収納板部材２０を３枚の部材により形成した場合、刀身収納部２４及び刃先被覆部２５は、収納板部材２０を形成する３枚の部材の何れかに設ければ、基板部材１０又は上板部材３０により包丁１００を被覆できる。そして、包丁ケース１は、上板部材３０及び重畳部１２ａにそれぞれ設けられるフック部１３ａ及びループ部１３ｂを、マグネットとすることもできる。
【符号の説明】
【００４８】
１          包丁ケース                      １０        基板部材
１１        被覆部                          １１ａ      被覆部
１１ｂ      被覆部                          １１ｃ      被覆部
１１ｄ      被覆部                          １２        重畳部
１２ａ      重畳部                          １２ｂ      重畳部
１３ａ      フック部                        １３ｂ      ループ部
１４        窓部                            １５        間隙
１６        切欠部                          １７        窓部
１８        接続部                          ２０        収納板部材
２０Ａ      第１部材                        ２０Ａ−１  薄肉層
２０Ａ−２  厚肉層                          ２０Ａ１    開口部
２０Ｂ      第２部材                        ２０Ｂ−１  薄肉層
２０Ｂ−２  厚肉層                          ２０Ｂ１    開口部
２０Ｃ      第３部材                        ２０Ｃ−１  薄肉層
２０Ｃ−２  厚肉層                          ２０Ｃ１    開口部
２１        フルート面                      ２２        ライナー面
２３        収納部                          ２４        刀身収納部
２５        刃先被覆部                      ２６        押さえ片
２６ａ      切込部                          ２７        柄収納部
２８        取出し凹部                      ３０        上板部材
３０−１    薄肉部                          ３０−２    厚肉部
３１        フルート面                      ３２        ライナー面
３３        補助柄収納部                    ３４        紙葉収納部
３４ａ      保持部                          ４０        サービス券
１００      包丁                            １１０      刀身
１１０ａ    刃先                            １１１      谷折り部
１１３      谷折り部                        １１３ａ    山折り部
１２０      柄                              １２０ａ    柄元
１２１      谷折り部                        １２２      谷折り部
１２２ａ    山折り部
【図１】
0003224910.tif 000003
【図２】
0003224910.tif 000004
【図３】
0003224910.tif 000005
【図４】
0003224910.tif 000006
【図５】
0003224910.tif 000007
【図６】
0003224910.tif 000008
【図７】
0003224910.tif 000009
【図８】
0003224910.tif 000010
【図９】
0003224910.tif 000011